(57)【要約】【課題】一部の温度センサに異常が生じた場合であっても、浴槽に貯えられた湯の温度を適温に維持することのできる給湯装置を提供する。【解決手段】上流側温度センサ７１に異常が生じたことが検知された場合において、給湯装置１０の制御部５０は、第１循環流路１００において湯を循環させながら、下流側温度センサ７２で測定された湯の温度に基づいて第２ポンプ８２の動作を制御することにより、浴槽ＢＴに貯えられている湯の温度が低下してしまうことを防止する湯温維持制御、を実行するように構成されている。【選択図】図１
2018013276.tif 000002
【特許請求の範囲】
【請求項１】
浴槽（ＢＴ）に湯を供給する給湯装置（１０）であって、
高温の湯を貯える貯湯タンク（２０）と、
前記貯湯タンクに貯えられている湯と、前記浴槽に貯えられている湯との間で熱交換を行わせるための熱交換器（３０）と、
前記浴槽と前記熱交換器との間で湯が循環する流路である第１循環流路（１００）と、
前記貯湯タンクと前記熱交換器との間で湯が循環する流路である第２循環流路（２００）と、
前記第１循環流路において湯を循環させるための第１ポンプ（８１）と、
前記第２循環流路において湯を循環させるための第２ポンプ（８２）と、
前記第１循環流路のうち、前記熱交換器よりも上流側となる位置において湯の温度を測定する上流側温度センサ（７１）と、
前記第１循環流路のうち、前記熱交換器よりも下流側となる位置において湯の温度を測定する下流側温度センサ（７２）と、
前記第１ポンプの動作及び前記第２ポンプの動作を制御する制御部（５０）と、を備え、
前記制御部は、前記浴槽に貯えられている湯の温度を所定の設定温度まで上昇させる追い焚き制御を実行し得るものであって、
前記上流側温度センサに異常が生じたことが検知された場合において、前記制御部は、
前記第１循環流路において湯を循環させながら、前記下流側温度センサで測定された湯の温度に基づいて前記第２ポンプの動作を制御することにより、前記浴槽に貯えられている湯の温度が低下してしまうことを防止する湯温維持制御、を実行するように構成されている給湯装置。
【請求項２】
前記湯温維持制御において、前記制御部は、
前記下流側温度センサで測定される湯の温度が、前記設定温度に対し所定の補正温度を加えた温度に一致するように前記第２ポンプの動作を制御する、請求項１に記載の給湯装置。
【請求項３】
前記上流側温度センサに異常が生じていないときにおいて、前記制御部は、
前記第１循環流路及び前記第２循環流路のそれぞれにおいて湯を循環させながら、前記上流側温度センサで測定される湯の温度、及び前記下流側温度センサで測定される湯の温度をそれぞれ取得し、
取得されたそれぞれの温度に基づいて前記補正温度を予め決定する、請求項２に記載の給湯装置。
【請求項４】
前記制御部は、
前記下流側温度センサで測定される湯の温度から、前記上流側温度センサで測定される湯の温度を差し引いた値となるように前記補正温度を決定する、請求項３に記載の給湯装置。
【請求項５】
前記補正温度は５℃以下である、請求項２乃至４のいずれか１項に記載の給湯装置。
【請求項６】
前記湯温維持制御において、前記制御部は、
前記第２循環流路における湯の循環を停止させた状態で、前記下流側温度センサで測定される湯の温度を取得する現在温度取得モードと、
前記第２循環流路において湯を循環させながら、前記下流側温度センサで測定される湯の温度が前記設定温度よりも高い所定の加熱温度に一致するよう、前記第２ポンプの動作を制御する追い焚きモードと、を交互に実行する、請求項１に記載の給湯装置。
【請求項７】
前記湯温維持制御において、前記制御部は、
前記浴槽に貯えられている湯の温度が所定の閾温度よりも高いときには、
前記下流側温度センサで測定される湯の温度が、前記設定温度に対し所定の補正温度を加えた温度に一致するように前記第２ポンプの動作を制御し、
前記浴槽に貯えられている湯の温度が前記閾温度以下であるときには、
前記第２循環流路における湯の循環を停止させた状態で、前記下流側温度センサで測定される湯の温度を取得する現在温度取得モードと、
前記第２循環流路において湯を循環させながら、前記下流側温度センサで測定される湯の温度が前記設定温度よりも高い所定の加熱温度に一致するよう、前記第２ポンプの動作を制御する追い焚きモードと、を交互に実行する、請求項１に記載の給湯装置。
【請求項８】
前記制御部は、
前記上流側温度センサに異常が生じたことが検知されたことに加えて、所定の実行条件が成立した場合にのみ、前記湯温維持制御を実行する、請求項１乃至７のいずれか１項に記載の給湯装置。
【請求項９】
前記制御部は、
前記浴槽において使用者が入浴を行っていることが推定又は検知されたときに、前記実行条件が成立したと判定する、請求項８に記載の給湯装置。
【請求項１０】
使用者によって操作される操作部（５１）を更に備え、
前記制御部は、
前記操作部に対する操作が行われたときに前記実行条件が成立したと判定する、請求項８に記載の給湯装置。
【請求項１１】
前記制御部は、
一日のうち所定の時間帯となったときに前記実行条件が成立したと判定する、請求項８に記載の給湯装置。
【請求項１２】
前記上流側温度センサに異常が生じたことを使用者に報知する報知部（５１）を更に備える、請求項１乃至１１のいずれか１項に記載の給湯装置。
【請求項１３】
前記報知部は、更に、前記湯温維持制御が実行されていることを使用者に報知する、請求項１２に記載の給湯装置。
【発明の詳細な説明】
【技術分野】
【０００１】
本発明は、浴槽に湯を供給する給湯装置に関する。
【背景技術】
【０００２】
貯湯タンクを備えたタイプの給湯装置は、ヒートポンプユニット等の加熱装置によって予め生成された湯を貯湯タンクに貯えておき、当該湯を浴槽に供給し得るように構成されている。近年では、貯湯タンクに貯えられている高温の湯の熱を利用して、浴槽に貯えられている湯の温度を上昇させる機能、すなわち追い焚き機能を有する給湯装置も開発されており、既にその普及が始まっている。
【０００３】
下記特許文献１には、このような追い焚き機能付きの給湯装置が記載されている。当該給湯装置は、貯湯タンクに貯えられている湯と、浴槽に貯えられている湯との間で熱交換を行わせるための熱交換器を備えている。追い焚きを行う際には、貯湯タンクと熱交換器との間で湯を循環させるとともに、浴槽と熱交換器との間でも湯を循環させる。これにより、浴槽の水位を上昇させることなく、浴槽に貯えられた湯の温度を上昇させることが可能となっている。
【０００４】
上記給湯装置では、浴槽と熱交換器との間で湯が循環する流路の途中において、熱交換器を間に挟むように２つの温度センサが設けられている。熱交換器よりも上流側に設けられた温度センサ（以下、「上流側温度センサ」と称する）では、浴槽から熱交換器に向かう湯の温度が測定される。当該温度は、浴槽に貯えられている湯の温度に概ね等しい。追い焚きの実行時においては、上流側温度センサで測定された湯の温度（つまり浴槽内の湯の温度）が所定の目標温度に到達した時点で湯の循環を停止させる。これにより、追い焚きを適切なタイミングで終了させ、浴槽内の湯の温度が上昇し過ぎてしまうことを防止することができる。
【０００５】
また、熱交換器よりも下流側に設けられた温度センサ（以下、「下流側温度センサ」と称する）では、熱交換器から浴槽に向かう湯の温度が測定される。当該温度は、浴槽に供給される湯の温度に概ね等しい。追い焚きの実行時においては、上流側温度センサで測定された湯の温度が所定の加熱温度（上記の目標温度よりも高い温度である）に概ね一致した状態となるように、貯湯タンクと熱交換器との間における湯の循環流量が調整される。これにより、高すぎる温度の湯が浴槽に供給され、使用者に不快な思いをさせてしまうようなことが防止される。
【先行技術文献】
【特許文献】
【０００６】
【特許文献１】特許第３９７９４０９号公報
【発明の概要】
【発明が解決しようとする課題】
【０００７】
ところで、上流側温度センサにおいて何らかの異常が生じると、追い焚きの実行時において浴槽に貯えられた湯の温度を検知することができなくなってしまう。この場合、追い焚きを適切なタイミングで終了させることができない。そこで、従来においては、上流側温度センサに異常が生じたときには、追い焚きの実行を禁止する措置が取られていた。その結果、浴槽に貯えられた湯の温度を適温に維持することができなくなるので、使用者は入浴を断念せざるを得ない状態となる。
【０００８】
本発明はこのような課題に鑑みてなされたものであり、その目的は、一部の温度センサに異常が生じた場合であっても、浴槽に貯えられた湯の温度を適温に維持することのできる給湯装置を提供することにある。
【課題を解決するための手段】
【０００９】
上記課題を解決するために、本発明に係る給湯装置では、高温の湯を貯える貯湯タンク（２０）と、貯湯タンクに貯えられている湯と、浴槽に貯えられている湯との間で熱交換を行わせるための熱交換器（３０）と、浴槽と熱交換器との間で湯が循環する流路である第１循環流路（１００）と、貯湯タンクと熱交換器との間で湯が循環する流路である第２循環流路（２００）と、第１循環流路において湯を循環させるための第１ポンプ（８１）と、第２循環流路において湯を循環させるための第２ポンプ（８２）と、第１循環流路のうち、熱交換器よりも上流側となる位置において湯の温度を測定する上流側温度センサ（７１）と、第１循環流路のうち、熱交換器よりも下流側となる位置において湯の温度を測定する下流側温度センサ（７２）と、第１ポンプの動作及び第２ポンプの動作を制御する制御部（５０）と、を備える。制御部は、浴槽に貯えられている湯の温度を所定の設定温度まで上昇させる追い焚き制御を実行し得るものである。上流側温度センサに異常が生じたことが検知された場合において、制御部は、第１循環流路において湯を循環させながら、下流側温度センサで測定された湯の温度に基づいて第２ポンプの動作を制御することにより、浴槽に貯えられている湯の温度が低下してしまうことを防止する湯温維持制御、を実行するように構成されている。
【００１０】
上流側温度センサに異常が生じた場合には、制御部は湯温維持制御を実行する。湯温維持制御において、制御部は、第１循環流路において湯を循環させながら、下流側温度センサで測定された湯の温度に基づいて第２ポンプの動作を制御する。正常に機能している下流側温度センサでの測定値を用いることにより、浴槽に貯えられている湯の温度を適切に保つことができる。
【００１１】
例えば、下流側温度センサで測定された湯の温度が設定温度よりも僅かに高い程度の温度となるように、第２ポンプの動作を制御することが考えられる。この場合、浴槽に貯えられた湯の温度は緩やかにしか上昇しないのであるが、当該湯の温度を設定温度又はその近くに維持することができる。
【発明の効果】
【００１２】
本発明によれば、一部の温度センサに異常が生じた場合であっても、浴槽に貯えられた湯の温度を適温に維持することのできる給湯装置が提供される。
【図面の簡単な説明】
【００１３】
【図１】本発明の第１実施形態に係る給湯装置の全体構成を模式的に示す図である。
【図２】給湯装置の制御部によって実行される処理の流れを示すフローチャートである。
【図３】浴槽温度の変化等を示すタイムチャートである。
【図４】給湯装置の制御部によって実行される処理の流れを示すフローチャートである。
【図５】浴槽温度の変化等を示すタイムチャートである。
【図６】給湯装置の制御部によって実行される処理の流れを示すフローチャートである。
【図７】給湯装置の制御部によって実行される処理の流れを示すフローチャートである。
【図８】給湯装置の制御部によって実行される処理の流れを示すフローチャートである。
【図９】本発明の第２実施形態に係る給湯装置、の制御部によって実行される処理の流れを示すフローチャートである。
【図１０】本発明の第３実施形態に係る給湯装置、制御部によって実行される処理の流れを示すフローチャートである。
【発明を実施するための形態】
【００１４】
以下、添付図面を参照しながら本発明の実施形態について説明する。説明の理解を容易にするため、各図面において同一の構成要素に対しては可能な限り同一の符号を付して、重複する説明は省略する。
【００１５】
本発明の第１実施形態に係る給湯装置１０の構成について、図１を参照しながら説明する。給湯装置１０は、建物の浴室（全体は不図示）に設置された浴槽ＢＴに湯を供給するための装置である。給湯装置１０は所謂「貯湯式」の給湯装置として構成されている。給湯装置１０は、貯湯タンク２０と、ヒートポンプユニット４０と、制御部５０と、操作表示部５１と、を備えている。
【００１６】
貯湯タンク２０は、後述のヒートポンプユニット４０によって生成された高温の湯を貯えておくための大型の容器である。給湯装置１０は、貯湯タンク２０に貯えられた湯を浴槽ＢＴに供給して湯張りを行うことができる。尚、給湯装置１０は、貯湯タンク２０に貯えられた湯を浴室の混合水栓に供給することもできるのであるが、図１においては、混合水栓やそれに繋がる配管等の図示を省略している。貯湯タンク２０に貯えられている湯（特に、貯湯タンク２０の上部に貯えられている湯）の温度は９０℃前後となっており、浴槽ＢＴ等に供給される湯の温度よりも高温となっている。
【００１７】
貯湯タンク２０は略円筒形状に形成されている。貯湯タンク２０の下部には、配管３０２の一端が接続されている。配管３０２は、上水道ＷＳから供給された水を貯湯タンク２０の内部に供給するための配管である。本実施形態では、上水道ＷＳとヒートポンプユニット４０との間が配管３０１で接続されており、その途中に設けられた継手Ｊ４に、上記の配管３０２の他端が接続されている。貯湯タンク２０の内部には、上水道ＷＳからの水圧が常にかかっている。このため、貯湯タンク２０に貯えられている湯が上方側の配管３０５等から外部に排出されると、これを補うように、配管３０２から貯湯タンク２０へと水が供給される。
【００１８】
貯湯タンク２０には、外部に湯を排出するための２つの配管３０５、３０６が接続されている。配管３０５は、その一端が貯湯タンク２０の上部に接続されており、その他端がミキシング弁６２に接続されている。配管３０６は、その一端が貯湯タンク２０の上下方向における中央部に接続されており、その他端がミキシング弁６２に接続されている。
【００１９】
ミキシング弁６２には、上記の配管３０５、３０６の他に、配管３０７の一端も接続されている。ミキシング弁６２は、貯湯タンク２０から配管３０５を経由して排出された高温の湯と、貯湯タンク２０から配管３０６を経由して排出された中温の湯とを混合し、これを配管３０７に向けて排出するように構成された弁である。ミキシング弁６２は、その開度を変化させることにより、配管３０５から配管３０７に流れる湯の流量と、配管３０６から配管３０７に流れる湯の流量との比率を調整することができる。ミキシング弁６２の動作は、後述の制御部５０によって制御される。
【００２０】
配管３０７は、ミキシング弁６２から排出された湯を、ミキシング弁６３に向けて導くための配管である。配管３０７の一端はミキシング弁６２に接続されており、他端はミキシング弁６３に接続されている。ミキシング弁６３は、ミキシング弁６２から排出された湯と、上水道ＷＳからの水とを混合し、混合後の湯を浴槽ＢＴに向けて供給するための弁である。
【００２１】
ミキシング弁６３には配管３０８の一端が接続されている。配管３０８の他端は、上水道ＷＳから伸びる配管３０１の途中に設けられた継手Ｊ３に接続されている。ミキシング弁６３は、その開度を変化させることにより、配管３０７から配管３０９に流れる湯の流量と、配管３０８から配管３０９に流れる水の流量との比率を調整することができる。当該調整により、浴槽ＢＴに供給される湯の温度が決定される。ミキシング弁６３の動作は、後述の制御部５０によって制御される。制御部５０は、浴槽ＢＴに供給される湯の温度が予め設定された温度となるように、ミキシング弁６２の開度及びミキシング弁６３の開度を調整する。
【００２２】
配管３０９の一端はミキシング弁６３に接続されており、他端は継手Ｊ１に接続されている。継手Ｊ１は、浴槽ＢＴから伸びる配管１０１の途中に設けられた継手である。ミキシング弁６３において水と混合された湯は、配管３０９、継手Ｊ１、配管１０１を通って浴槽ＢＴに供給される。
【００２３】
配管３０９の途中には電磁弁６４が設けられている。電磁弁６４は、外部からの信号に基づいてその開閉が切り換わる電磁弁である。電磁弁６４により、浴槽ＢＴへの湯の供給が行われている状態と、湯の供給が停止されている状態とが切り換わる。電磁弁６４の動作は制御部５０によって制御される。
【００２４】
ヒートポンプユニット４０は、貯湯タンク２０に貯えられた湯を加熱するための装置である。ヒートポンプユニット４０は、貯湯タンク２０から供給される湯を加熱してその温度を上昇させ、当該湯を貯湯タンク２０へと戻す。ヒートポンプユニット４０には、ヒートポンプユニット４０と貯湯タンク２０との間で湯を循環させるためのポンプ（不図示）と、湯の加熱を行うための冷凍サイクル（不図示）とが内蔵されている。このようなヒートポンプユニット４０としては公知のものを採用し得るので、その具体的な図示や説明は省略する。ヒートポンプユニット４０の動作は制御部５０によって制御される。
【００２５】
既に述べたように、ヒートポンプユニット４０には上水道ＷＳから伸びる配管３０１の端部が接続されている。また、ヒートポンプユニット４０には、後述の熱交換器３０に向けて伸びる配管３０４の一端も接続されている。配管３０４の他端には継手Ｊ２が設けられている。継手Ｊ２には配管２０２の一端が接続されている。配管２０２の他端は三方弁６１に接続されている。
【００２６】
三方弁６１と、貯湯タンク２０の上部との間は、配管２０１で接続されている。また、上水道ＷＳから伸びる配管３０１の途中には継手Ｊ５が設けられており、継手Ｊ５と三方弁６１との間は配管３０３で接続されている。三方弁６１は、配管３０３と配管２０２とが連通している状態と、配管２０１と配管２０２とが連通している状態と、の間を切り換えることのできる弁である。三方弁６１の動作は制御部５０によって制御される。
【００２７】
ヒートポンプユニット４０による湯の加熱が行われる時には、先ず配管３０３と配管２０２とが連通している状態となるように三方弁６１の状態が切り換えられる。当該状態においてヒートポンプユニット４０が動作すると、ヒートポンプユニット４０から排出された湯は、配管３０４、継手Ｊ２、配管２０２、三方弁６１、配管３０３、継手Ｊ５、配管３０１を順に通り、貯湯タンク２０を経ることなくヒートポンプユニット４０に戻る。このような経路で湯を循環させることで、動作初期においてヒートポンプユニット４０から排出された低温の湯が貯湯タンク２０に流入することが防止される。
【００２８】
ヒートポンプユニット４０から排出される湯の温度が十分に高くなると、配管２０１と配管２０２とが連通している状態となるように三方弁６１の状態が切り換えられる。これにより、ヒートポンプユニット４０から排出された湯は、配管３０４、継手Ｊ２、配管２０２、三方弁６１、配管２０１を順に通って貯湯タンク２０に上部から供給されるようになる。また、貯湯タンク２０の下方側から排出された低温の湯（水）は、配管３０２、継手Ｊ４、配管３０１を順に通り、ヒートポンプユニット４０に供給される。
【００２９】
貯湯タンク２０には、その内部の湯の温度を測定するための温度センサ２１が複数設けられている。それぞれの温度センサ２１は、互いに異なる高さの位置に設けられており、それぞれの位置における湯の温度を測定している。それぞれの温度センサ２１で測定された湯の温度は、制御部５０に入力される。制御部５０は、各温度センサ２１で測定された温度に基づいてヒートポンプユニット４０の動作を制御することにより、貯湯タンク２０の内部における湯の温度を適温に維持している。本実施形態では、温度センサ２１としてサーミスタが用いられている。
【００３０】
制御部５０は、給湯装置１０の全体を統括制御するためのユニットである。制御部５０は、ＣＰＵ、ＲＯＭ、ＲＡＭ等を備えたコンピュータシステムとして構成されている。これまで説明したように、制御部５０は、ヒートポンプユニット４０や三方弁６１、ミキシング弁６２等の動作を制御する。これにより、給湯装置１０から浴槽ＢＴに供給される湯の温度や流量が調整される。
【００３１】
操作表示部５１は所謂タッチパネル画面であって、本実施形態では浴室に設置されている。操作表示部５１は、給湯装置１０の動作状態を示す各種の情報を表示し、当該情報を使用者に報知する機能を有している。操作表示部５１は、本実施形態における「報知部」に該当する。また、操作表示部５１は、設定変更などのために使用者が行う操作を受け付ける部分としても機能する。操作表示部５１は、本実施形態における「操作部」にも該当する。尚、本実施形態では、操作表示部５１が報知部と操作部との両方を兼ねた構成となっているのであるが、報知部と操作部とがそれぞれ別の装置として構成されていてもよい。
【００３２】
給湯装置１０では、貯湯タンク２０に貯えられた高温の湯と、浴槽ＢＴに貯えられた低温の湯と、の間で熱交換を行わせることにより、浴槽ＢＴに貯えられた湯の温度を上昇させる制御（以下、「追い焚き制御」とも称する）を行うことも可能となっている。引き続き図１を参照しながら、追い焚き制御を実現するための構成について説明する。
【００３３】
給湯装置１０は、熱交換器３０と、第１循環流路１００と、第２循環流路２００と、を備えている。
【００３４】
熱交換器３０は、貯湯タンク２０に貯えられている湯と、浴槽ＢＴに貯えられている湯との間で熱交換を行わせるための熱交換器である。熱交換器３０は、第１循環流路１００の途中となる位置であり、且つ第２循環流路２００の途中となる位置に設けられている。
【００３５】
第１循環流路１００は、浴槽ＢＴと熱交換器３０との間で湯が循環する流路である。第１循環流路１００は、配管１０１と配管１０２とによって構成されている。配管１０１の上流側端部は浴槽ＢＴに接続されており、下流側端部は熱交換器３０に接続されている。配管１０１は、浴槽ＢＴから引き込まれた湯を熱交換器３０に導くための配管である。配管１０２の上流側端部は熱交換器３０に接続されており、下流側端部は浴槽ＢＴに接続されている。配管１０２は、熱交換器３０から排出された熱交換後の湯を、浴槽ＢＴに導くための配管である。
【００３６】
配管１０１の途中、具体的には継手Ｊ１よりも浴槽ＢＴ寄りとなる位置には、第１ポンプ８１が設けられている。第１ポンプ８１は、第１循環流路１００において湯が循環するように、熱交換器３０に向けて湯を送り出すためのポンプである。第１ポンプ８１の動作は制御部５０により制御される。制御部５０は、第１ポンプ８１の回転数を変化させることにより、第１循環流路１００を循環する湯の流量を調整することができる。
【００３７】
配管１０１のうち浴槽ＢＴと第１ポンプ８１の間となる位置には、水位センサ９１が設けられている。水位センサ９１は、配管１０１の内部における水圧を測定し、当該水圧に基づいて浴槽ＢＴにおける水位を測定するセンサである。水位センサ９１によって測定された水位は制御部５０に送信される。
【００３８】
配管１０１のうち熱交換器３０の近傍となる位置には、上流側温度センサ７１が設けられている。上流側温度センサ７１は、第１循環流路１００を循環する湯の温度を当該位置において測定するためのセンサである。上流側温度センサ７１は、熱交換器３０よりも上流側となる位置において湯の温度を測定するためのセンサ、ということができる。第１循環流路１００を湯が循環しているときにおいて上流側温度センサ７１で測定される湯の温度は、浴槽ＢＴに貯えられている湯の温度に概ね等しい。上流側温度センサ７１によって測定された湯の温度は、制御部５０に送信される。本実施形態では、上流側温度センサ７１としてサーミスタが用いられている。
【００３９】
配管１０２のうち熱交換器３０の近傍となる位置には、下流側温度センサ７２が設けられている。下流側温度センサ７２は、第１循環流路１００を循環する湯の温度を当該位置において測定するためのセンサである。下流側温度センサ７２は、熱交換器３０よりも下流側となる位置において湯の温度を測定するためのセンサ、ということができる。第１循環流路１００を湯が循環しているときにおいて下流側温度センサ７２で測定される湯の温度は、熱交換器３０における熱交換が行われた直後における湯の温度である。当該温度は、追い焚き制御の実行中において浴槽ＢＴに供給される湯の温度に概ね等しい。下流側温度センサ７２によって測定された湯の温度は、制御部５０に送信される。本実施形態では、下流側温度センサ７２としてサーミスタが用いられている。
【００４０】
第２循環流路２００は、貯湯タンク２０と熱交換器３０との間で湯が循環する流路である。第２循環流路２００は、既に説明した配管２０１、２０２に加えて、配管２０３、及び配管２０４によって構成されている。配管２０３は、継手Ｊ２と熱交換器３０との間を繋ぐように設けられた配管である。配管２０４は、熱交換器３０と貯湯タンク２０との間を繋ぐように設けられた配管である。配管２０４の下流側端部は、貯湯タンク２０の上下方向における中央部に接続されている。
【００４１】
配管２０４の途中には第２ポンプ８２が設けられている。第２ポンプ８２は、第２循環流路２００において湯が循環するように、貯湯タンク２０に向けて湯を送り出すためのポンプである。第２ポンプ８２の動作は制御部５０により制御される。制御部５０は、第２ポンプ８２の回転数を変化させることにより、第２循環流路２００を循環する湯の流量を調整することができる。
【００４２】
尚、第２循環流路２００において湯を循環させる際には、三方弁６１を予め動作させることにより、配管２０１と配管２０２とが連通している状態とされる。当該状態において第２ポンプ８２が駆動されると、第２ポンプ８２から送り出された湯は、配管２０４、貯湯タンク２０、配管２０１、三方弁６１、配管２０２、継手Ｊ２、配管２０３、熱交換器３０を順に通った後、第２ポンプ８２に戻る。
【００４３】
追い焚き制御の実行時においては、制御部５０は、第１ポンプ８１及び第２ポンプ８２の両方を駆動する。これにより、第１循環流路１００と第２循環流路２００のそれぞれを湯が循環している状態となる。このとき、熱交換器３０では、貯湯タンク２０から供給される高温の湯と、浴槽ＢＴから供給される湯との間で熱交換が行われる。第１循環流路１００を循環する湯は、熱交換器３０を通過する際においてその温度を上昇させた後、配管１０２を通って浴槽ＢＴに戻される。これにより、浴槽ＢＴの水位を上昇させることなく、浴槽ＢＴに貯えられている湯の温度を上昇させることができる。
【００４４】
追い焚き制御において実行される具体的な処理の内容について、図２を参照しながら説明する。図２に示される一連の処理は、追い焚き制御の実行時において制御部５０により実行される。尚、追い焚き制御が実行されるタイミングは、例えば、追い焚き制御を開始するための操作を使用者が操作表示部５１に対して行ったときである。また、所定の周期が経過する毎に、自動的に追い焚き制御が実行されることとしてもよい。更に、浴槽ＢＴに貯えられている湯の温度を上流側温度センサ７１によって測定し、当該温度が所定の閾温度を下回ったタイミングにおいて、追い焚き制御が実行されることとしてもよい。
【００４５】
追い焚き制御を開始するにあたっては、予め三方弁６１による流路の切り換えが行われ、配管２０１と配管２０２とが連通している状態とされる。尚、以下に説明する制御（追い焚き制御以外の制御も含む）は、全て配管２０１と配管２０２とが連通している状態で行われるものとする。このため、三方弁６１による流路の切り換えについては説明を省略する。
【００４６】
最初のステップＳ０１では、第１ポンプ８１及び第２ポンプ８２の両方が駆動される。これにより、第１循環流路１００及び第２循環流路２００のそれぞれを湯が循環し、熱交換器３０における熱交換が行われ始める。
【００４７】
ステップＳ０１に続くステップＳ０２では、上流側温度センサ７１の測定値、すなわち熱交換器３０に流入する湯の温度が取得される。既に述べたように、当該温度は浴槽ＢＴに貯えられている湯の温度に概ね等しい。
【００４８】
ステップＳ０２に続くステップＳ０３では、上流側温度センサ７１の測定値が、所定の設定温度以上であるか否かが判定される。ここでいう「設定温度」とは、追い焚き制御において浴槽ＢＴに貯えられている湯の温度を上昇させる際の目標値として、予め設定された温度である。上流側温度センサ７１の測定値が設定温度以上である場合にはステップＳ０４に移行する。ステップＳ０４に移行したということは、浴槽ＢＴに貯えられている湯の温度が設定温度に到達したということである。このため、ステップＳ０４では第１ポンプ８１及び第２ポンプ８２の両方が停止され、追い焚き制御を終了する。
【００４９】
ステップＳ０３において、上流側温度センサ７１の測定値が設定温度未満である場合には、ステップＳ０５に移行する。ステップＳ０５では、下流側温度センサ７２の測定値、すなわち熱交換器３０から流出した直後における湯の温度が取得される。
【００５０】
ステップＳ０５に続くステップＳ０６では、ステップＳ０５で取得された温度に基づいて、第２ポンプ８２の回転数が調整される。本実施形態では、追い焚き制御が行われる際において、下流側温度センサ７２の測定値が所定の加熱温度に概ね一致した状態となるように第２ポンプ８２の回転数が調整される。「加熱温度」とは、浴槽ＢＴに貯えられている湯の温度を速く上昇させることができ、且つ浴槽ＢＴにおいて入浴している使用者に「熱過ぎる」と感じさせないような温度として、予め設定された温度である。このような加熱温度としては、例えば５５℃が設定される。
【００５１】
例えば下流側温度センサ７２の測定値が加熱温度よりも低いときには、制御部５０は第２ポンプ８２の回転数を増加させ、熱交換器３０における熱交換量を増加させる。逆に、下流側温度センサ７２の測定値が加熱温度よりも高いときには、制御部５０は第２ポンプ８２の回転数を減少させ、熱交換器３０における熱交換量を減少させる。このような調整が行われた後、ステップＳ０２以降の処理が再度実行される。
【００５２】
図３には、上記のような追い焚き制御が行われているときにおける、各種状態の変化がタイムチャートとして示されている。図３（Ａ）に示されるのは、浴槽ＢＴに貯えられている湯の温度変化である。図３（Ｂ）に示されるのは、下流側温度センサ７２で測定される湯の温度変化である。図３（Ｃ）に示されるのは、第２ポンプ８２の回転数の変化である。図３（Ｄ）に示されるのは、第１ポンプ８１の回転数の変化である。
【００５３】
図３の例では、時刻ｔ１から時刻ｔ２までの期間において追い焚き制御が実行されている。図３（Ａ）に示されるように、浴槽ＢＴに貯えられている湯の温度は、追い焚き制御によってＴ１０からＴ２０まで上昇している。Ｔ２０は上記の設定温度である。追い焚き制御の開始と共に、熱交換器３０における熱交換が開始されるので、図３（Ｂ）に示されるように、下流側温度センサ７２で測定される湯の温度はＴ３０からＴ４０へと上昇している。図３では、追い焚き制御中における第２ポンプ８２の回転数がＲ２０となっており（図３（Ｃ））、第１ポンプ８１の回転数がＲ１０（図３（Ｄ））となっている。
【００５４】
図３（Ａ）に示されるように、時刻ｔ２において追い焚き制御が終了すると、浴槽ＢＴに貯えられている湯の温度は次第に低下して行く。その後、追い焚き制御が終了してから一定の期間が経過した時刻ｔ３において、再び次の追い焚き制御が開始される。これにより、浴槽ＢＴに貯えられている湯の温度は概ね一定の範囲に維持される。
【００５５】
給湯装置１０では、上記のような追い焚き制御に加えて、高精度温調制御を実行することも可能となっている。高精度温調制御とは、浴槽ＢＴにおいて使用者が入浴しているときに第１ポンプ８１を連続的に動作させながら、浴槽ＢＴに貯えられている湯の温度を適温に保つ制御である。第１ポンプ８１の動作によって浴槽ＢＴでは水流が生じるので、使用者の入浴に伴って温度の低下した湯が、使用者の肌の近傍に滞留することが抑制される。その結果、使用者の肌の温度と、肌の近傍に存在する湯の温度との間における温度差が保たれるので、使用者に「暖かさ」を感じさせ続けることができる。
【００５６】
高精度温調制御において実行される具体的な処理の内容について、図４を参照しながら説明する。図４に示される一連の処理は、高精度温調制御の実行時において、所定の周期が経過する毎に制御部５０により繰り返し実行される。高精度温調制御が開始されるタイミングは、使用者が浴槽ＢＴにおいて入浴を開始したタイミングである。例えば、水位センサ９１によって水位の急な上昇が検知されたときに、入浴が開始されたものと推定し、高精度温調制御を開始することとしてもよい。また、赤外線センサ等によって浴槽ＢＴ内の人体が直接検知された際に、高精度温調制御を開始することとしてもよい。
【００５７】
最初のステップＳ１１では第１ポンプ８１が駆動される。これにより、第１循環流路１００における湯の循環が開始され、浴槽ＢＴでは水流が生じている状態となる。ステップＳ１１に続くステップＳ１２では、上流側温度センサ７１の測定値が取得される。
【００５８】
ステップＳ１２に続くステップＳ１３では、上流側温度センサ７１の測定値が、適温範囲の下限値よりも低いか否かが判定される。適温範囲とは、浴槽ＢＴに貯えられている湯の温度を維持すべき範囲として予め設定されている温度範囲である。このような適温範囲としては、例えば、設定温度を中心とした比較的狭い温度範囲（図３のＴ１０からＴ２０までの範囲よりも狭い温度範囲）が設定される。
【００５９】
上流側温度センサ７１の測定値が適温範囲の下限値よりも低い場合、つまり浴槽ＢＴの湯温が低過ぎる場合には、ステップＳ１４に移行する。ステップＳ１４では加熱温度の設定が行われる。この加熱温度は、追い焚き制御において設定される加熱温度と同様に、下流側温度センサ７２で測定される温度についての目標値として設定される温度である。
【００６０】
ステップＳ１４に続くステップＳ１５では第２ポンプ８２が駆動される。これにより、第２循環流路２００における湯の循環が開始され、熱交換器３０における熱交換が行われ始める。ステップＳ１５に続くステップＳ１６では、下流側温度センサ７２の測定値が取得される。
【００６１】
ステップＳ１６に続くステップＳ１７では、ステップＳ１６で取得された温度に基づいて、第２ポンプ８２の回転数が調整される。ここでは、下流側温度センサ７２の測定値が加熱温度に概ね一致した状態となるように第２ポンプ８２の回転数が調整される。下流側温度センサ７２の測定値が加熱温度よりも低いときには、制御部５０は第２ポンプ８２の回転数を増加させ、熱交換器３０における熱交換量を増加させる。逆に、下流側温度センサ７２の測定値が加熱温度よりも高いときには、制御部５０は第２ポンプ８２の回転数を減少させ、熱交換器３０における熱交換量を減少させる。
【００６２】
ステップＳ１７に続くステップＳ１８では、上流側温度センサ７１の測定値についての、単位時間あたりにおける上昇量が算出される。当該上昇量は、浴槽ＢＴに貯えられている湯の温度についての昇温速度に該当する。
【００６３】
ステップＳ１８に続くステップＳ１９では、算出された昇温速度が所定範囲内であるか否かが判定される。高精度温調制御では、人体に触れる湯の温度が急激に変化することの無いように、昇温速度が予め設定された所定範囲内に収まるような制御が行われる。昇温速度が所定範囲内であれば、加熱温度を変更することなく、図４に示される一連の処理を終了する。
【００６４】
昇温速度が所定範囲を外れている場合には、ステップＳ２０に移行する。ステップＳ２０では加熱温度が変更される。例えば、昇温速度が所定範囲の上限値よりも高い場合には、加熱温度が現在の値よりも低くなるように変更される。本実施形態では、現在の値よりも０．５℃だけ低くなるように加熱温度が変更される。一方、昇温速度が所定範囲の下限値よりも低い場合には、加熱温度が現在の値よりも高くなるように変更される。本実施形態では、現在の値よりも０．５℃だけ高くなるように加熱温度が変更される。
【００６５】
ステップＳ２０で加熱温度が変更された後は、図４に示される一連の処理を終了する。次の実行周期において図４の処理が行われるときには、変更後における加熱温度に合わせて第２ポンプ８２の動作が制御されることとなる。
【００６６】
ステップＳ１３において、上流側温度センサ７１の測定値が適温範囲の下限値以上であった場合には、ステップＳ２１に移行する。ステップＳ２１では、上流側温度センサ７１の測定値が、適温範囲の上限値よりも高いか否かが判定される。上流側温度センサ７１の測定値が適温範囲の上限値よりも高い場合、つまり浴槽ＢＴの湯温が高い過ぎる場合には、ステップＳ２２に移行する。ステップＳ２２では、第２ポンプ８２が停止される。第２循環流路２００における湯の循環が停止し、熱交換器３０における熱交換が行われなくなるので、浴槽ＢＴに貯えられている湯の温度はゆっくりと低下して行くこととなる。ステップＳ２１において、上流側温度センサ７１の測定値が適温範囲の上限値以下である場合には、第２ポンプ８２の動作を停止することなく、図４に示される一連の処理を終了する。
【００６７】
図５には、上記のような高精度温調制御が行われているときにおける、各種状態の変化がタイムチャートとして示されている。図５（Ａ）乃至（Ｄ）のそれぞれに示される事項は、図３（Ａ）乃至（Ｄ）のそれぞれに示される事項とそれぞれ同一である。図５の例では、時刻ｔ１０から時刻ｔ４０までの期間において高精度温調制御が実行されている。
【００６８】
図５（Ｄ）に示されるように、高精度温調制御が行われている期間においては常に第１ポンプ８１が回転数Ｒ１０で動作しており、これにより浴槽ＢＴでは水流が生じている。一方、図５（Ｃ）に示されるように、第２ポンプ８２は断続的に動作しており、動作中の回転数は図３のＲ２０よりも小さなＲ２となっている。第２ポンプ８２が動作している時刻ｔ１０から時刻ｔ２０までの期間、及び、時刻ｔ３０から時刻ｔ４０までの期間においては、図５（Ｂ）に示されるように、下流側温度センサ７２で測定される湯の温度はＴ３１からＴ４１へと上昇している。このときにおける湯温の上昇量は、図３（Ｂ）に示される湯温の上昇量よりも小さい。
【００６９】
このような高精度温調制御が行われる結果、図５（Ａ）に示されるように、浴槽ＢＴに貯えられている湯の温度は適温範囲内、具体的にはＴ１からＴ２までの比較的狭い範囲内に維持されている。湯の温度が適温範囲内に維持され、且つ浴槽ＢＴにおける水流が形成されていることにより、使用者に心地よい「暖かさ」を感じさせ続けることができる。
【００７０】
以上に説明したような制御（追い焚き制御や高精度温調制御）を実行するためには、上流側温度センサ７１と下流側温度センサ７２とのそれぞれが正常に動作している必要がある。仮に、上流側温度センサ７１において断線等の異常が生じてしまった場合には、浴槽ＢＴに貯えられている湯の温度を上流側温度センサ７１によって測定することができなくなってしまう。例えば、図２のステップＳ０２、Ｓ０３の処理が不可能となるので、追い焚き制御を適切なタイミングで終了させることができなくなってしまう。
【００７１】
上流側温度センサ７１に異常が生じた際は、追い焚き制御を禁止することも考えられる。しかしながら、その場合には浴槽ＢＴに貯えられた湯の温度は下がり続けることとなるので、使用者は入浴を断念せざるを得ない状態となってしまう。
【００７２】
そこで、本実施形態に係る給湯装置１０では、上流側温度センサ７１に異常が生じた際には湯温維持制御を実行することにより、浴槽ＢＴに貯えられた湯の温度を適温に維持することとしている。
【００７３】
湯温維持制御について説明する。図６に示される一連の処理は、所定の周期が経過する毎に制御部５０によって繰り返し実行されている処理である。当該処理は、これまでに説明した追い焚き制御や高精度温調制御が実行されている期間においても、バックグラウンドで定期的に実行されている。
【００７４】
最初のステップＳ３１では、上流側温度センサ７１に異常が生じたか否かが判定される。ここでは、上流側温度センサ７１から送信される信号が異常な信号であった場合、例えば、有り得ない温度を示す信号であった場合には、上流側温度センサ７１に異常が生じたと判定される。上流側温度センサ７１に異常が生じたと判定されなかった場合には、図６に示される一連の処理を終了する。上流側温度センサ７１に異常が生じたと判定された場合にはステップＳ３２に移行する。
【００７５】
ステップＳ３２では、所定の実行条件が成立したか否かが判定される。「実行条件」とは、湯温維持制御を実行するための条件として予め設定された条件である。本実施形態では、上流側温度センサ７１に異常が生じたことが検知されたことに加えて、実行条件が成立した場合にのみ湯温維持制御が実行される。
【００７６】
本実施形態では、浴槽ＢＴにおいて使用者が入浴を行っていることが検知されたときに、実行条件が成立したと判定される。かかる検知は、水位センサ９１からの信号に基づいて行われる。このような態様に替えて、赤外線センサ等によって浴槽ＢＴ内の人体が直接検知された際に、実行条件が成立したと判定するような態様としてもよい。
【００７７】
また、浴槽ＢＴにおいて使用者が入浴を行っていることが「推定」されたときに、実行条件が成立したと判定するような態様としてもよい。例えば、一日のうち入浴が行われる可能性が高い時間帯を制御部５０が学習しておき、現在時刻が当該時間帯となったときに実行条件が成立したと判定することが考えられる。また、使用者によって、湯温維持制御を開始させるために必要な操作が操作表示部５１に対しなされた場合に、実行条件が成立したと判定するような態様としてもよい。
【００７８】
実行条件が成立したと判定された場合には、ステップＳ３３に移行する。ステップＳ３３では湯温維持制御が実行される。湯温維持制御において行われる具体的な処理の内容については後に説明する。湯温維持制御が開始されると、ステップＳ３４に移行する。ステップＳ３４では、上流側温度センサ７１に異常が生じていることを示す情報が操作表示部５１に表示され、使用者に報知される。また、湯温維持制御が実行されていることを示す情報も操作表示部５１に表示され、使用者に報知される。
【００７９】
ステップＳ３２において、実行条件が成立していないと判定された場合には、ステップＳ３３を経ることなくステップＳ３４に移行する。この場合には、上流側温度センサ７１に異常が生じていることを示す情報のみが操作表示部５１に表示され、使用者に報知される。
【００８０】
湯温維持制御において行われる具体的な処理の内容について、図７を参照しながら説明する。図７に示されるフローチャートは、図６のステップＳ３３で実行される処理の流れを具体的に示したものである。
【００８１】
湯温維持制御における最初のステップＳ４１では、第１ポンプ８１が駆動される。これにより、第１循環流路１００における湯の循環が開始される。ステップＳ４１に続くステップＳ４２では、下流側温度センサ７２の測定値が取得される。ステップＳ４２に続くステップＳ４３では、下流側温度センサ７２の測定値が、設定温度に補正温度を加えた温度未満であるか否かが判定される。
【００８２】
配管１０２を通る湯が浴槽ＢＴに到達するまでの間には、湯の温度は配管１０２からの放熱などによって低下する。補正温度とは、湯が配管１０２を通る際の温度低下量に相当する温度として予め設定されたものである。換言すれば、下流側温度センサ７２の測定値が設定温度＋補正温度であるときには、浴槽ＢＴには設定温度の湯が供給される状態となるように、補正温度が予め設定されている。補正温度は、上記のように湯が配管１０２を通る際の温度低下量に相当する温度であるから、５℃以内の値となるように設定されることが好ましい。
【００８３】
ステップＳ４３の判定が肯定であれば、ステップＳ４４に移行する。ステップＳ４４では、第２ポンプ８２が駆動される。これにより、第２循環流路２００における湯の循環が開始され、熱交換器３０における熱交換が行われ始める。ステップＳ４３の判定が否定であれば、ステップＳ４５に移行する。ステップＳ４５では、第２ポンプ８２が停止される。
【００８４】
以上のような処理が繰り返し行われる結果、下流側温度センサ７２の測定値は、記設定温度に対し補正温度を加えた温度に近づいて行く。その結果、浴槽ＢＴには、配管１０２から設定温度に概ね等しい温度の湯が供給され続けるので、浴槽ＢＴに貯えられている湯の温度が低下してしまうことが防止される。
【００８５】
尚、ステップＳ４４では、第２ポンプ８２を駆動させることに換えて、第２ポンプ８２の回転数を増加させる処理が行われることとしてもよい。また、ステップＳ４５では、第２ポンプ８２を停止させることに換えて、第２ポンプ８２の回転数を低下させる処理が行われることとしてもよい。このように、所謂「オンオフ制御」ではなく、第２ポンプ８２の回転数を調整するような制御によっても、下流側温度センサ７２の測定値を設定温度＋補正温度に概ね一致させることができる。
【００８６】
以上のように、本実施形態における湯温維持制御では、制御部５０は、第１循環流路１００において湯を循環させながら、下流側温度センサ７２で測定された湯の温度に基づいて第２ポンプ８２の動作を制御することにより、浴槽ＢＴに貯えられている湯の温度が低下してしまうことを防止する。具体的には、下流側温度センサ７２で測定される湯の温度が、設定温度に対し補正温度を加えた温度に一致するように第２ポンプ８２の動作を制御する。
【００８７】
尚、ステップＳ４３の判定に用いられる補正温度は、予め設定された固定値としてもよいのであるが、配管１０２における実際の放熱の測定値に基づいて、都度更新されることとしてもよい。図８には、補正温度を決定するための具体的な処理の流れが示されている。図８に示される一連の処理は、図４に示される高精度温調制御が実行されているときに、それと並行して制御部５０により実行されるものである。
【００８８】
最初のステップＳ５１では、算出条件が成立しているか否かが判定される。本実施形態では、第１ポンプ８１及び第２ポンプ８２の両方が駆動しており、且つ上流側温度センサ７１で測定される温度が概ね一定であり、且つ当該温度が適温範囲に入っているときに、算出条件が成立していると判定される。
【００８９】
算出条件が成立している場合には、ステップＳ５２に移行する。ステップＳ５２では、下流側温度センサ７２で測定される温度から、上流側温度センサ７１で測定される温度が差し引かれ、それにより得られた値が補正温度として決定される。その後、図７のステップＳ４３の処理が行われる際には、以上のように算出、更新された補正温度が用いられる。算出条件が成立していない場合には、補正温度の更新を行うことなく、図８に示される一連の処理を終了する。
【００９０】
以上のように、本実施形態では、上流側温度センサ７１に異常が生じていないときにおいて、制御部５０は、第１循環流路１００及び第２循環流路２００のそれぞれにおいて湯を循環させながら、上流側温度センサ７１で測定される湯の温度、及び下流側温度センサ７２で測定される湯の温度をそれぞれ取得し、取得されたそれぞれの温度に基づいて補正温度を予め決定している。具体的には、下流側温度センサ７２で測定される湯の温度から、上流側温度センサ７１で測定される湯の温度を差し引いた値となるように補正温度を決定している。配管１０２を湯が通る際の温度低下量と概ね一致するように補正温度が決定されるので、湯温維持制御において浴槽ＢＴに供給される湯の温度を、設定温度により近づけることができる。
【００９１】
本発明の第２実施形態について説明する。本実施形態では、図６のステップＳ３３で実行される湯温維持制御の具体的な内容においてのみ第１実施形態と異なっており、そのたの制御や構成については第１実施形態と同じである。以下では、第１実施形態と異なる点についてのみ説明し、第１実施形態と共通する点については適宜説明を省略する。
【００９２】
図９に示されるフローチャートには、本実施形態の湯温維持制御において行われる具体的な処理の流れが示されている。つまり、図９に示される一連の処理は、図７に示される一連の処理に換えて実行されるものである。
【００９３】
本実施形態の湯温維持制御における最初のステップＳ６１では、第１ポンプ８１が駆動される。これにより、第１循環流路１００における湯の循環が開始される。ステップＳ６１に続くステップＳ６２では、第２ポンプ８２が停止される。これにより第２循環流路２００における湯の循環が停止されるので、熱交換器３０における熱交換が行われなくなる。浴槽ＢＴから配管１０１に引き込まれた湯は、その温度を変化させることなく熱交換器３０を通過し、配管１０２を通って浴槽ＢＴに戻される。
【００９４】
ステップＳ６２に続くステップＳ６３では、ステップＳ６２の処理が終了した時点から所定時間が経過したか否かが判定される。ここでいう「所定時間」は、熱交換器３０のうち第２循環流路２００の一部となっている部分に溜まっている（高温であった）湯の温度が、十分に低下するために要する時間として、予め設定されているものである。所定時間が未だ経過していなければ、ステップＳ６３の処理が再度実行される。所定時間が経過していればステップＳ６４に移行する。
【００９５】
ステップＳ６４では、下流側温度センサ７２の測定値が取得される。このとき、熱交換器３０では熱交換が行われていないので、下流側温度センサ７２の測定値は、浴槽ＢＴに貯えられている湯の温度に概ね等しい。つまり、ステップＳ６４における下流側温度センサ７２は、通常時における上流側温度センサ７１のように用いられることとなる。
【００９６】
ステップＳ６４に続くステップＳ６５では、下流側温度センサ７２の測定値が設定温度以上であるか否かが判定される。下流側温度センサ７２の測定値が設定温度未満である場合には、ステップＳ６６に移行する。この場合、浴槽ＢＴに貯えられている湯の温度は設定温度よりも低い。このため、ステップＳ６６では第２ポンプが駆動される。これにより、第２循環流路２００における湯の循環が開始され、熱交換器３０における熱交換が行われ始める。その結果、浴槽ＢＴに貯えられている湯の温度は上昇し始める。
【００９７】
ステップＳ６６に続くステップＳ６７では、ステップＳ６６の処理が終了した時点から所定時間が経過したか否かが判定される。ここでいう「所定時間」は、熱交換器３０における熱交換が安定的に行われるようになるまでに要する時間として、予め設定されているものである。所定時間が未だ経過していなければ、ステップＳ６７の処理が再度実行される。所定時間が経過していればステップＳ６８に移行する。
【００９８】
ステップＳ６８では、下流側温度センサ７２の測定値が再び取得される。このとき、熱交換器３０では熱交換が行われているので、下流側温度センサ７２の測定値は、浴槽ＢＴに供給される(高温の）湯の温度に概ね等しい。つまり、ステップＳ６８における下流側温度センサ７２は、通常時における下流側温度センサ７２のように用いられることとなる。
【００９９】
ステップＳ６８に続くステップＳ６９では、ステップＳ６８で取得された温度に基づいて、第２ポンプ８２の回転数が調整される。本実施形態では、通常時の追い焚き制御が行われる際と同様に、下流側温度センサ７２の測定値が加熱温度に概ね一致した状態となるように第２ポンプ８２の回転数が調整される。つまり、ステップＳ６９では、図２のステップＳ０６と同じ処理が行われる。
【０１００】
ステップＳ６５において、下流側温度センサ７２の測定値が設定温度以上である場合には、ステップＳ７０に移行する。この場合、浴槽ＢＴに貯えられている湯の温度は少なくとも設定温度まで上昇している。このため、ステップＳ７０では第２ポンプ８２が停止される。これにより、第２循環流路２００における湯の循環が停止され、熱交換器３０における熱交換が行われなくなる。その結果、浴槽ＢＴに貯えられている湯の温度は上昇しなくなり、放熱に伴って徐々に低下して行く。尚、ステップＳ７０では、第２ポンプ８２に加えて第１ポンプ８１を停止させてもよい。
【０１０１】
以上の処理のうち、ステップＳ６１からステップＳ６４までの処理は、第２循環流路２００における湯の循環を停止させた状態で、下流側温度センサ７２で測定される湯の温度を取得する「現在温度取得モード」に該当する。また、ステップＳ６６からステップＳ６９までの処理は、第２循環流路２００において湯を循環させながら、下流側温度センサ７２で測定される湯の温度が設定温度よりも高い所定の加熱温度に一致するよう、第２ポンプ８２の動作を制御する「追い焚きモード」に該当する。このように、現在温度取得モードと追い焚きモードとを繰り返すことによっても、貯湯タンク２０の内部における湯の温度を適温に維持することができる。
【０１０２】
特に、本実施形態では、正常時における追い焚き制御（図２）と同様に、比較的高温の湯が浴槽ＢＴに供給されるので、浴槽ＢＴに貯えられている湯の温度を迅速に上昇させることができる。
【０１０３】
本発明の第３実施形態について説明する。本実施形態では、図６のステップＳ３３で実行される湯温維持制御の具体的な内容においてのみ第１実施形態と異なっており、そのたの制御や構成については第１実施形態と同じである。以下では、第１実施形態と異なる点についてのみ説明し、第１実施形態と共通する点については適宜説明を省略する。
【０１０４】
本実施形態では、第１実施形態で行われるものと同じ湯温維持制御(以下、「第１維持制御」とも称する）と、第２実施形態で行われるものと同じ湯温維持制御(以下、「第２維持制御」とも称する）とのいずれか一方が選択的に行われる。
【０１０５】
図１０に示されるフローチャートには、本実施形態の湯温維持制御において行われる具体的な処理の流れが示されている。つまり、図１０に示される一連の処理は、図７に示される一連の処理に換えて実行されるものである。
【０１０６】
最初のステップＳ７１では、第１ポンプ８１が駆動される。これにより、第１循環流路１００における湯の循環が開始される。ステップＳ７１に続くステップＳ７２では、第２ポンプ８２が停止される。これにより第２循環流路２００における湯の循環が停止されるので、熱交換器３０における熱交換が行われなくなる。浴槽ＢＴから配管１０１に引き込まれた湯は、その温度を変化させることなく熱交換器３０を通過し、配管１０２を通って浴槽ＢＴに戻される。
【０１０７】
ステップＳ７２に続くステップＳ７３では、ステップＳ７２の処理が終了した時点から所定時間が経過したか否かが判定される。ここでいう「所定時間」は、熱交換器３０のうち第２循環流路２００の一部となっている部分に溜まっている（高温であった）湯の温度が、十分に低下するために要する時間として、予め設定されているものである。所定時間が未だ経過していなければ、ステップＳ７３の処理が再度実行される。所定時間が経過していればステップＳ７４に移行する。
【０１０８】
ステップＳ７４では、下流側温度センサ７２の測定値が取得される。このとき、熱交換器３０では熱交換が行われていないので、下流側温度センサ７２の測定値は、浴槽ＢＴに貯えられている湯の温度に概ね等しい。
【０１０９】
ステップＳ７４に続くステップＳ７５では、ステップＳ７４で取得された測定値が所定の閾値よりも高いか否かが判定される。当該閾値は、設定温度よりも僅かに低い程度、具体的には設定温度よりも３℃だけ低い温度として予め設定されているものである。
【０１１０】
下流側温度センサ７２の測定値が閾値よりも高い場合には、ステップＳ７６に移行する。ステップＳ７６では、第１実施形態と同様の制御である第１維持制御が行われる。
【０１１１】
ステップＳ７６に移行したときには、浴槽ＢＴに貯えられている湯の温度は設定温度よりも僅かに低い程度となっている。この場合、浴槽ＢＴの湯温を速く上昇させなくても、使用者に不快な思いをさせることが無い。このため、ステップＳ７６では第１維持制御を行い、緩やかな昇温速度で浴槽ＢＴに貯えられている湯の温度を上昇させることとしている。
【０１１２】
ステップＳ７５において、下流側温度センサ７２の測定値が閾値以下である場合には、ステップＳ７７に移行する。ステップＳ７６では、第２実施形態と同様の制御である第２維持制御が行われる。
【０１１３】
ステップＳ７７に移行したときには、浴槽ＢＴに貯えられている湯の温度は設定温度よりも低くなっており、その温度差が比較的大きくなっている。この場合、浴槽ＢＴの湯温を速く上昇させなければ、使用者に不快な（寒い）思いをさせてしまう可能性がある。このため、ステップＳ７７では第２維持制御を行い、浴槽ＢＴに貯えられている湯の温度を速い昇温速度で短時間のうちに上昇させることとしている。
【０１１４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素及びその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１１５】
１０：給湯装置
２０：貯湯タンク
３０：熱交換器
５０：制御部
５１：操作表示部
７１：上流側温度センサ
７２：下流側温度センサ
８１：第１ポンプ
８２：第２ポンプ
１００：第１循環流路
２００：第２循環流路
ＢＴ：浴槽
【図１】
2018013276.tif 000003
【図２】
2018013276.tif 000004
【図３】
2018013276.tif 000005
【図４】
2018013276.tif 000006
【図５】
2018013276.tif 000007
【図６】
2018013276.tif 000008
【図７】
2018013276.tif 000009
【図８】
2018013276.tif 000010
【図９】
2018013276.tif 000011
【図１０】
2018013276.tif 000012